(57)【要約】【課題】　別途のモード切換キー無しに直接的なキー入力のみで簡単にインターネットが使用できる、テレビジョンでインターネットを視聴する方法を提供する。【解決手段】　テレビジョン受像機でインターネットを視聴する方法は、テレビジョンスクリーンの所定部分に、初期状態ではテレビジョン放送チャネルおよびインターネット主ウェブページのそれぞれ対応して複数のメインチャンネル番号を表示するチャンネル番号案内ウィンドウを表示し、前記複数のメインチャンネル番号から所望のメインチャンネル番号が選択されると、選択されたメインチャンネルのテレビジョン放送あるいはインターネットのコンテンツをテレビジョンスクリーンの残りの部分に表示し、前記チャンネル番号案内ウィンドウは、選択されたメインチャンネルが、所定のインターネットサブウェブページに関連したインターネット主ウェブページのいずれかに関連しているときは、メインチャンネル番号に加えて関連するサブチャンネル番号のセットをさらに表示することを特徴とする。【選択図】　図６
2004048794.tif 000002
【特許請求の範囲】
【請求項１】
　テレビジョン受像機でインターネットを視聴する方法であって、
　テレビジョンスクリーンの所定部分に、初期状態ではテレビジョン放送チャネルおよびインターネット主ウェブページのそれぞれ対応して複数のメインチャンネル番号を表示するチャンネル番号案内ウィンドウを表示し、
　前記複数のメインチャンネル番号から所望のメインチャンネル番号が選択されると、選択されたメインチャンネルのテレビジョン放送あるいはインターネットのコンテンツをテレビジョンスクリーンの残りの部分に表示し、
　前記チャンネル番号案内ウィンドウは、選択されたメインチャンネルが、所定のインターネットサブウェブページに関連したインターネット主ウェブページのいずれかに関連しているときは、メインチャンネル番号に加えて関連するサブチャンネル番号のセットをさらに表示することを特徴とする方法。
【請求項２】
　所望のサブチャンネル番号がチャンネル番号案内ウィンドウ中に表示されたサブチャンネル番号のセットから選択されると、テレビジョンスクリーンの残りの部分に選択されたサブチャンネルのインターネットコンテンツが表示されることを特徴とする請求項１に記載の方法。
【請求項３】
　前記チャンネル番号案内ウィンドウ中に表示された前記複数のメインチャンネル番号内で走査を行うための１つ以上のチャンネルアップ／ダウンキーが所望のメインチャンネル番号を選択するために選択されることを特徴とする請求項１に記載の方法。
【請求項４】
　チャンネル番号案内ウィンドウ中に表示されたサブチャンネル番号のセットから、所望のサブチャンネル番号が左／右方向キーおよび１つ以上のチャンネルアップ／ダウンキーにより選択されることを特徴とする請求項２に記載の方法。
【請求項５】
　チャンネル番号案内ウィンドウ中に表示された主あるいはサブチャンネル番号を走査することなしに、所望の主あるいはサブチャンネル番号が数値キーにより直接選択されることを特徴とする方法。
【請求項６】
　所望のサブチャンネル番号を選択するために、メイン／サブチャンネル選択キーおよび前記チャンネル番号案内ウィンドウ中に表示されたサブチャンネル番号のセットから走査する１つ以上のチャンネルアップ／ダウンキーが選択されることを特徴とする請求項２に記載の方法。
【請求項７】
　前記チャンネル番号案内ウィンドウ中に表示された複数のメインチャンネルおよびサブチャンネル番号のセット中で、所望のメインあるいはサブチャンネル番号を選択するように１つ以上のチャンネルアップ／ダウンキーおよび左／右方向キーが選択されることを特徴とする請求項２に記載の方法。
【請求項８】
　前記チャンネル番号案内ウィンドウ中に表示された複数のメインチャンネルおよびサブチャンネル番号のセットはテレビジョンスクリーン中で垂直に配置されることを特徴とする請求項１に記載の方法。
【請求項９】
　所定のインターネットサブウェブページのセットが存在する、各メインチャンネルの一側部に所定の記号が表示されることを特徴とする請求項１に記載の方法。
【請求項１０】
　前記チャンネル番号案内ウィンドウは、テレビジョンスクリーンの左または右側に表示されることを特徴とする請求項１に記載の方法。
【請求項１１】
　前記複数のメインチャンネル番号は、テレビジョンスクリーンの左側あるいは右側のいずれか一方に表示され、前記サブチャンネル番号のセットはテレビジョンスクリーンの前記メインチャンネル番号が表示されたのとは逆側に表示されることを特徴とする請求項１に記載の方法。
【請求項１２】
　テレビジョン放送に関する第１のメインチャンネル番号と、インターネットメインウェブページに関する第２のメインチャンネル番号とは異なる態様で表示されることを特徴とする請求項１に記載の方法。
【請求項１３】
　前記第１のメインチャンネル番号と前記第２のメインチャンネル番号とは異なる色で表示されることを特徴する請求項１２に記載の方法。
【発明の詳細な説明】
【技術分野】
【０００１】
　本発明はインターネットテレビジョンに関し、特に、インターネットテレビジョン受像機でインターネットを視聴する方法に関する。
【０００２】
　情報化時代への発展により、社会、文化、経済、スポーツなど全ての分野を網羅した情報が最も手軽に得られる通信媒体であるインターネットは実生活においても重要な位置を占めるようになり、その発展の可能性もまた限りないと言える。
【０００３】
　従って、インターネットを使用するための媒体としてパーソナルコンピュータが急速に増加しており、テレビジョンも単純に放送を受信して視聴するための単方向性媒体の機能を脱皮して、情報受信及び伝送の可能な双方向性通信媒体への発展要求に応じて、テレビジョン放送視聴及びインターネットの可能なインターネットテレビジョンが開発され、情報化時代の発展に従い持続的な技術開発が要求されているところである。
【背景技術】
【０００４】
　従来の技術によるインターネットテレビジョン受像機は、図１に示すように、大別して、インターネット情報を受信及び記憶して、映像及び音声形態に変換するためのインターネットモジュール１０と、一般のテレビジョン放送プログラム及び前記インターネットモジュール１０のインターネット情報を画面とスピーカを通して出力するためのテレビジョンモジュール２０とで構成されている。
【０００５】
　まず、インターネットモジュール１０はＰＳＴＮ（公衆回線ネットワーク）／ＬＡＮ／ケーブルなどを通したネットワーク網とインターネットモジュール１０とを接続させるためのネットワークアダプタ１１と、基本プログラム及び各種の情報を記憶するためのメモリ部１２と、前記ネットワークアダプタ１１を通した情報送／受信及び映像／音声変換を制御するＣＰＵ１３と、テレビジョンモジュール２０及びインターネットモジュール１０の制御情報入／出力のための入出力部１４と、ネットワークアダプタ１１を通して入力されたインターネット情報のうち音声情報をアナログに変換してテレビジョンモジュール２０へ伝送するための音声Ｄ／Ａ変換部１５と、ネットワークアダプタ１１を通して入力されたインターネット情報のうち映像情報をグラフィック処理するためのグラフィック処理部１６と、グラフィック処理部１６の出力をＮＴＳＣエンコーディングしてテレビジョンモジュール２０に出力するためのＮＴＳＣエンコーダ１７とで構成されている。
【０００６】
　そして、テレビジョンモジュール２０はユーザによって選択された放送チャンネルに当たる映像／音声信号を選局及び中間周波処理するためのチューナ／ＩＦ部２１と、映像及び音声を出力するためのカラー画像管（ＣＰＴ）２４及びスピーカ２７と、スイッチング信号によって、前記チューナ／ＩＦ部２１を通して選局された映像／音声信号とインターネットモジュール１０を通して伝送された映像／音声信号のうち一つを選択出力するＡ／Ｖ切換部２２と、基本プログラム及びチャンネルによる選局周波数などを記憶するためのメモリ部２８と、リモコン３０を通して入力されたテレビジョン／インターネットモードの切換命令及び各種の動作命令に従って、Ａ／Ｖ切換部２２を含むテレビジョンモジュール２０の各部を制御するマイクロコンピュータ２９と、ＣＰＴ２４の電子ビーム偏向動作を行う偏向処理部２５と、前記Ａ／Ｖ切換部２２の出力を前記ＣＰＴ２４及びスピーカ２７それぞれを通して出力可能であるように信号処理する映像処理部２３と音声処理部２６とで構成されている。
【０００７】
　このように構成された従来技術のインターネットテレビジョン受像機の視聴方法を以下に説明する。
【０００８】
　テレビジョン視聴の途中インターネットが使用したい場合は、リモコン３０のテレビジョン／インターネットモード切換キーを押してインターネットテレビジョンの動作状態をインターネットモードに切換させる。従って、テレビジョンモジュール２０のマイクロコンピュータ２９はユーザのインターネットモード切換命令を認識して、Ａ／Ｖ切換部２２をインターネットモジュール１０の側に切換させ、インターネットモジュール１０の入出力部１４を通してインターネットモード切換命令を伝送する。
【０００９】
　次いで、インターネットモジュール１０のＣＰＵ１３は前記インターネットモード切換命令を認識して、メモリ部１２からブックマークに登録されたインターネットウェブページを読み込み、テレビジョンモジュール１０を通して出力可能であるように、音声Ｄ／Ａ変換部１５及びグラフィック処理部１６を通して音声及び映像処理する。そして、インターネットモジュール１０から音声及び映像処理された情報はテレビジョンモジュール２０のＡ／Ｖ切換部２２と映像処理部２３及び音声処理部２６を経てＣＰＴ２４及びスピーカ２７に出力される。従って、図２のように、ブックマークに登録されたインターネットウェブページがディスプレイされ、ユーザはリモコン３０で自分が所望するウェブページを選択する。
【００１０】
　このとき、インターネットウェブページのうち、例えば、通信サービスのように、リンクされたサブページがある場合は、該サブページが前記通信サービスのメインページとともにディスプレイされる。
【００１１】
　次いで、インターネットモジュール１０のＣＰＵ１３はユーザによって選択されたインターネットウェブページを認識して、ネットワークアダプタ１１を通して該ウェブページの映像／音声情報を読み込んだ後、上述した映像／音声の変換過程を経て、テレビジョンモジュール２０に出力する。従って、テレビジョンモジュール２０は映像／音声処理過程を経て、ＣＰＴ２４及びスピーカ２７を通して前記ウェブページの映像／音声情報を出力する。
【発明の開示】
【発明が解決しようとする課題】
【００１２】
　従来の技術によるインターネットテレビジョンは次のような問題点があった。
【００１３】
　第一に、テレビジョン視聴の途中でインターネットの使用を希望する場合、別途モード切換キーを押してインターネットモードに切換し、該インターネットウェブページを選択しなければならないので、煩雑であるという不具合がある。
【００１４】
　第二に、インターネットモードに切換する時点でインターネットと接続して、該情報を受信した後に出力を行うので、迅速なインターネット使用が難しい。
【００１５】
　本発明は上記した従来の問題点を解決するためのものであって、別途のモード切換キー無しに直接的なキー入力のみで簡単にインターネットが使用できる、テレビジョンでインターネットを視聴する方法を提供することを目的とする。
【課題を解決するための手段】
【００１６】
　上記目的を達成するため、本発明に係るテレビジョン受像機でインターネットを視聴する方法は、
　テレビジョンスクリーンの所定部分に、初期状態ではテレビジョン放送チャネルおよびインターネット主ウェブページのそれぞれ対応して複数のメインチャンネル番号を表示するチャンネル番号案内ウィンドウを表示し、
　前記複数のメインチャンネル番号から所望のメインチャンネル番号が選択されると、選択されたメインチャンネルのテレビジョン放送あるいはインターネットのコンテンツをテレビジョンスクリーンの残りの部分に表示し、
　前記チャンネル番号案内ウィンドウは、選択されたメインチャンネルが、所定のインターネットサブウェブページに関連したインターネット主ウェブページのいずれかに関連しているときは、メインチャンネル番号に加えて関連するサブチャンネル番号のセットをさらに表示することを特徴とする。
【発明の効果】
【００１７】
　本発明に係るテレビジョン受像機でインターネットを視聴する方法は次のような効果を奏する。
【００１８】
　第一に、別途のモード切換キーの操作無しで、テレビジョン放送チャンネル変更時と同一のチャンネルアップ／ダウンキー、数字キー、またはチャンネル番号案内ウィンドウを通したキー入力によって、簡単であり且つ容易にインターネットを使用することができる。
【００１９】
　第二に、既設定されたインターネットウェブページの情報を常に読み込み、該メモリを最新情報に更新させ、該インターネットウェブページの選択次第該情報をディスプレイするため、迅速なインターネットの使用が可能である。
【発明を実施するための最良の形態】
【００２０】
　以下、添付の図面を参照して本発明に係るテレビジョン受像機でインターネットを視聴する方法の好ましい実施形態を説明する。
【００２１】
　図３は本発明で用いられるインターネットテレビジョン受像機の構成を示すブロック図であり、図４は本発明にかかるテレビジョン受像機でのインターネット視聴方法を示すフローチャートであり、図５は図４のインターネット／テレビジョン選択方法を説明する図である。
【００２２】
　本発明で用いられるインターネットテレビジョン受像機は、図３に示すように、所定の時間ごとに既設定されたインターネットアドレスの情報を受信して、該情報をアップデートさせ、アップデートした情報のうちユーザが選択したインターネットアドレスによる情報を視聴可能な映像及び音声情報の形態に変換して出力するインターネットモジュール４０と、テレビジョン放送チャンネル及びインターネットアドレスに対して所定放送のチャンネル番号を割り当てて記憶し、ユーザが選択したチャンネル番号がインターネットアドレスに割り当てられたチャンネル番号であれば、前記インターネットモジュール４０に該インターネットアドレスを出力して、それにより、前記インターネットモジュール４０から出力される映像及び音声情報を映像及び音声処理して出力するテレビジョンモジュール５０とで構成されている。
【００２３】
　このとき、インターネットモジュール１０はＰＳＴＮ／ＬＡＮ／ＣＡＢＬＥなどを通したネットワーク網とインターネットモジュール４０とを接続させるためのネットワークアダプタ４１と、基本プログラム及び各種の情報を記憶するためのメモリ部４２と、所定の時間ごとに既設定されたインターネットウェブページに接続して、該情報を読み込んで前記メモリ部４２に記憶し、記憶の内容を更新させ、前記ネットワークアダプタ４１を通した情報送／受信及び映像／音声変換を制御するＣＰＵ４３と、テレビジョンモジュール５０及びインターネットモジュール４０の制御情報入／出力のための入出力部４４と、ネットワークアダプタ４１を通して入力されたインターネット情報のうち音声情報をアナログに変換してテレビジョンモジュール５０へ伝送するための音声Ｄ／Ａ変換部４５と、ネットワークアダプタ４１を通して入力されたインターネット情報のうち映像情報をグラフィック処理するためのグラフィック処理部４６と、グラフィック処理部４６の出力をＮＴＳＣエンコーディングしてテレビジョンモジュール５０に出力するためのＮＴＳＣエンコーダ４７とで構成されている。
【００２４】
　そして、テレビジョンモジュール５０は、ユーザによって選択された放送チャンネルに当たる映像／音声信号を選局及び中間周波処理するためのチューナ／ＩＦ部５１と、映像及び音声を出力するためのＣＰＴ５４及びスピーカ５７と、スイッチング信号によって、前記チューナ／ＩＦ部５１を通して選局された映像／音声信号とインターネットモジュール４０を通して伝送された映像／音声信号のうち一つを選択出力するＡ／Ｖ切換部５２と、所定のチャンネル番号が割り当てられたテレビジョン放送チャンネル及びインターネットアドレスを記憶するためのメモリ部５８と、ユーザが選択したチャンネル番号が前記メモリ部５８に記憶されたチャンネル番号のうちインターネットチャンネル番号であれば、該インターネットアドレスをメモリ部５８から読み込んで前記インターネットモジュール４０に出力し、前記Ａ／Ｖ切換部５２をインターネットモジュール４０の側に切換させるためのスイッチング信号を出力するマイクロコンピュータ５９と、前記Ａ／Ｖ切換部５２の出力を前記ＣＰＴ５４及びスピーカ５７を通して出力可能であるように信号処理する映像処理部５３及び音声処理部５６とを含んで構成されている。
【００２５】
　以下、このように構成された本発明のインターネット視聴方法を図４及び図５に基づいて説明する。
【００２６】
　まず、ユーザはテレビジョン放送チャンネルまたは自分が所望するインターネットアドレスを選択してチャンネル番号を設定する（Ｓ４０）。
【００２７】
　即ち、テレビジョン放送チャンネルを選択して所定のチャンネル番号を設定し、自分が所望するインターネットアドレスに対して所定のチャンネル番号を設定するのである。
【００２８】
　例えば、図５に示すように、チャンネル番号Ｐｒ１〜Ｐｒ４に対して、各々放送局Ａ、放送局Ｂ、放送局Ｃ、放送局Ｄなどの放送チャンネルを設定し、チャンネル番号Ｒｒ３０〜Ｐｒ３４に対して、各々Ｅ日報、Ｆ証券、テレビジョンチャンネル案内、ホームページ、Ｇ通信サービスなど特定のインターネットウェブページを設定して、Ｇメール（Ｐｒ３４）のようにサブページが存在するウェブページの場合、サブチャンネル番号Ｐｒ３４１〜Ｐｒ３４４を設定する。
【００２９】
　一方、ユーザが選択した放送チャンネルまたはインターネットアドレスに対して、インターネットモジュール４０のＣＰＵ４３からチャンネル番号を割り当てることもできる。即ち、テレビジョンモジュール５０のマイクロコンピュータ５９でインターネットモジュール４０のＣＰＵ４３との連係により、ユーザが選択してブックマーキングしたインターネットアドレスの情報を読み込んだ後、所定のチャンネル番号を付与してメモリ部５８のチャンネルマップを更新させる。従って、以後に追加されるインターネットアドレスに対しても上述した方式によりチャンネル番号が割り当てられる。
【００３０】
　このように、テレビジョン放送チャンネル及びインターネットウェブページに対してチャンネル番号が設定されると、インターネットモジュール４０のＣＰＵ４３はネットワークアダプタ４１を通してインターネットと接続して、該ウェブページの情報を読み込んでメモリ部４２に記憶し、既設定された周期でこれを繰り返して行うことでメモリ部４２の記憶内容を更新させる。従って、以後ユーザのインターネット関連チャンネル番号の選択時、アップデートされた情報を読み込むにかかる時間が必要ないため、迅速にインターネット画面をディスプレイすることができる。
【００３１】
　一方、ユーザは自分が所望するテレビジョン放送チャンネルまたはインターネットウェブページのチャンネル番号をチャンネルアップ／ダウンキー、数字キー、またはメイン／サブ選択キーを押して選択する（Ｓ４１）。ここで、チャンネル番号の選択はチャンネルアップ／ダウンキーを用いて間接的に行われるか、数字キーを通して直接的に行われるか、或いは図６（ａ）又は図６（ｂ）のようなチャンネル番号案内ウィンドウのチャンネル番号のアイコンをメイン／サブ選択キーとチャンネルアップ／ダウンキーとを操作することで行う。
【００３２】
　このとき、チャンネル番号案内ウィンドウは、図６ａのような形態で、画面の左／右側の一方の側に表示され、垂直に連結されたチャンネル番号アイコンからなっている。チャンネル番号アイコンのうちテレビジョンチャンネルとインターネットアドレスは、各アイコンの色相を変えたり、アイコンの模様を変えたりして区分できるようにする。また、チャンネル番号アイコンのうちサブチャンネル、つまり、サブ放送チャンネルまたはサブインターネットアドレスが存在するアイコンの場合は、その一方の側にサブチャンネルの表示記号を付して、サブチャンネルの存在しないチャンネル番号アイコンと区分する。そして、サブチャンネルの存在するチャンネル番号アイコンのうち、ユーザが選択したチャンネル番号アイコン（例えば４２）に対してサブチャンネル番号アイコン４２１、４２２、４２３を表示する。
【００３３】
　また、チャンネル番号案内ウィンドウは、図６ｂに示すように、一方の側、例えば、左側にはチャンネル番号アイコンを表示し、右側には前記左側のチャンネル番号アイコンのうち、ユーザによって選択されたチャンネル番号アイコンのサブチャンネル番号アイコンを表示してなる。ここで、テレビジョンチャンネルとインターネットアドレスとの区分及びサブチャンネルの存在を表示することは図６ａと同様である。
【００３４】
　このようなチャンネル番号案内ウィンドウの画面上で、ユーザはリモコンのメイン／サブ選択キーを押してチャンネル番号と該サブチャンネル番号間の切換動作を行い、チャンネルアップ／ダウンキーを押してチャンネル番号またはサブチャンネル番号の探索及び選択動作を行う。従って、テレビジョンモジュール５０のマイクロコンピュータ５９はチャンネルが選択されると、そのチャンネル番号がテレビジョンチャンネル番号であるかを判断する（Ｓ４２）。
【００３５】
　次いで、前記判断の結果（Ｓ４２）、切換したチャンネル番号がテレビジョンチャンネル番号でなければインターネット関連のチャンネル番号と判断し、そのチャンネル番号に当たるインターネットアドレスをメモリ部５８から読み込んで、インターネットモジュール４０へ伝送する（Ｓ４３）。そして、Ａ／Ｖ切換部５２をインターネットモジュール４０の側に切換する（Ｓ４４）。
【００３６】
　次いで、インターネットモジュール４０のＣＰＵ４３は、前記インターネットアドレスに相当するウェブページの情報をメモリ部４２から読み込み、音声Ｄ／Ａ変換部４５とグラフィック処理部４６及びＮＴＳＣエンコーダ４７を通してテレビジョンモジュール５０で処理可能であるように変換して出力する（Ｓ４５）。そして、テレビジョンモジュール５０は前記インターネットモジュール４０から伝送された映像及び音声情報を映像処理部５３及び音声処理部５６を通して映像及び音声処理して、ＣＰＴ５４及びスピーカ５７を通して出力する（Ｓ４６）。
【００３７】
　一方、前記判断の結果（Ｓ４２）、切換したチャンネルがテレビジョンチャンネルであれば、Ａ／Ｖ切換部５２をテレビジョンモジュール、つまり、チューナ／ＩＦ部５１に切換し（Ｓ４７）、前記切換したチャンネルを選局及び中間周波処理した後、映像処理部５３及び音声処理部５６を通して映像及び音声処理して、ＣＰＴ５４及びスピーカ５７を通して出力する（Ｓ４８）。
【図面の簡単な説明】
【００３８】
【図１】従来の技術によるインターネットテレビジョン受像機の構成を示すブロック図である。
【図２】従来の技術によるインターネット／テレビジョン選択方法を説明するための図面である。
【図３】本発明に用いられるインターネットテレビジョンの構成を示すブロック図である。
【図４】本発明によるインターネットテレビジョンの視聴方法を示すフローチャートである。
【図５】図４のインターネット／テレビジョン選択方法を説明するための図面である。
【図６】本発明において特徴的なチャンネル番号案内ウィンドウを示す説明図である。
【符号の説明】
【００３９】
４０　インターネットモジュール
４１　ネットワークアダプタ
４２　メモリ部
４３　ＣＰＵ
４４　入出力部
４５　Ｄ／Ａ変換部
４６　グラフィック処理部
４７　ＮＴＳＣエンコーダ
５０　テレビジョンモジュール
５１　チューナ／ＩＦ部
５２　Ａ／Ｖ切換部
５３　映像処理部
５４　ＣＰＴ
５５　偏向処理部
５６　音声処理部
５７　スピーカ
５８　メモリ部
５９　マイクロコンピュータ
【図１】
2004048794.tif 000003
【図２】
2004048794.tif 000004
【図３】
2004048794.tif 000005
【図４】
2004048794.tif 000006
【図５】
2004048794.tif 000007
【図６】
2004048794.tif 000008